(57)【要約】【課題】スクランブリングコードを効率的に設定することができるようにする。【解決手段】フェムトセル基地局１乃至４のそれぞれにおいては、電源がオンにされたときなどの所定のタイミングで、外部の基地局が出力する電波が受信され、外部の基地局により使用されているスクランブリングコードが検出される。また、フェムトセル基地局用のものとして確保されているスクランブリングコードのうち、外部の基地局により使用されているスクランブリングコードを除く、最も小さいスクランブリングコードが、自身が管理するフェムトセルに在圏している移動機との通信に用いるスクランブリングコードとして設定される。本発明は、フェムトセル基地局に適用することができる。【選択図】図２
2010263461.tif 000002
【特許請求の範囲】
【請求項１】
外部の基地局が出力する電波を受信する受信手段と、
前記受信手段により受信された電波を出力する外部の基地局に設定されているスクランブリングコードを検出する検出手段と、
小型基地局用のものとして確保されているスクランブリングコードのうちの、前記検出手段により検出されたスクランブリングコードを除く最も小さいスクランブリングコード、または最も大きいスクランブリングコードを、自身が管理するエリア内の移動機と通信を行うときに用いるスクランブリングコードとして設定する設定手段と
を備える小型基地局。
【請求項２】
前記受信手段は、電源がオンにされたとき、前記外部の基地局が出力する電波を受信する
請求項１に記載の小型基地局。
【請求項３】
前記設定手段は、小型基地局用のものとして確保されているスクランブリングコードであって、それぞれの小型基地局がホーム用の基地局であるのか、パブリック用の基地局であるのかを管理するサーバから送信されてきた複数のスクランブリングコードの中から、スクランブリングコードを選択し、設定する
請求項１に記載の小型基地局。
【請求項４】
外部の基地局が出力する電波を受信し、
受信した電波を出力する外部の基地局に設定されているスクランブリングコードを検出し、
小型基地局用のものとして確保されているスクランブリングコードのうちの、検出したスクランブリングコードを除く最も小さいスクランブリングコード、または最も大きいスクランブリングコードを、自身が管理するエリア内の移動機と通信を行うときに用いるスクランブリングコードとして設定する
ステップを含む設定方法。
【発明の詳細な説明】
【技術分野】
【０００１】
本発明は、小型基地局、設定方法に関し、特に、スクランブリングコードを効率的に設定することができるようにした小型基地局、設定方法に関する。
【背景技術】
【０００２】
CDMA(Code Division Multiple Access)方式の通信システムにおいては、移動機との通信時の拡散変調、復調に用いるスクランブリングコードがそれぞれの基地局に設定される。現在の通信システムにおいては、０から５１１までの値がスクランブリングコードとして使用されている。
【０００３】
同じスクランブリングコードが設定された基地局同士が近くにある場合、それぞれの基地局からの電波が重複して到達するエリアにおいては干渉が生じてしまい、通信が不安定になることから、隣接するセルを管理する基地局の間では同じスクランブリングコードが設定されることがないような運用がなされている。
【０００４】
例えば、マクロセルを管理する基地局であるマクロセル基地局に対しては、通信事業者によって人手でスクランブリングコードの設定が行われ、管理されている。
【０００５】
ここで、「マクロセル」は、不特定多数の公衆向けのものであって、半径数百メートルから数キロメートルの広いセルのことをいう。
【０００６】
ところで、近年、家庭内、オフィス内など、半径数十メートルの狭い範囲をカバーするためのものとして「フェムトセル」が注目されている。
【０００７】
「フェムトセル」は、そのような狭い範囲をカバーする程度のレベルの電波を出力する基地局であるフェムトセル基地局を、ADSL(Asymmetric Digital Subscriber Line)モデム、ONU(Optical Network Unit)などの、構内に設置されているブロードバンド回線の終端装置に接続することによって形成される。「マクロセル」とは異なり、「フェムトセル」はフェムトセル基地局が設置された家屋の住人などの限られたユーザに対して通信サービスを提供するものである。
【０００８】
このような小さなセルを管理するフェムトセル基地局に対しても、CDMA方式の通信を行う場合にはマクロセル基地局と同様にスクランブリングコードを設定する必要がある。上述した０から５１１までのスクランブリングコードのうち、１０個などの所定の数のスクランブリングコードを別枠として確保し、フェムトセル基地局用のスクランブリングコードとして運用することが検討されている。
【先行技術文献】
【特許文献】
【０００９】
【特許文献１】特開２００７−１１６３９１号公報
【特許文献２】特開２００７−１４０８２９号公報
【特許文献３】特開２００５−１７５６１１号公報
【特許文献４】特開２００２−２１８５２８号公報
【発明の概要】
【発明が解決しようとする課題】
【００１０】
フェムトセル基地局は各ユーザが自宅に設置したりして使用するものであるため、普及すればその数はマクロセル基地局の数と比べて非常に多いものになる。
【００１１】
従って、それぞれのフェムトセル基地局に１台１台スクランブリングコードを人手によって設定するのは困難であることから、スクランブリングコードを自動的に設定するような機能をフェムトセル基地局に持たせておくことが望ましい。
【００１２】
フェムトセル基地局用として確保されているスクランブリングコードの数にも限りがあるため、スクランブリングコードの自動設定に際してはそれを効率的に行う必要がある。
【００１３】
本発明はこのような状況に鑑みてなされたものであり、スクランブリングコードを効率的に設定することができるようにするものである。
【課題を解決するための手段】
【００１４】
本発明の小型基地局は、外部の基地局が出力する電波を受信する受信手段と、前記受信手段により受信された電波を出力する外部の基地局に設定されているスクランブリングコードを検出する検出手段と、小型基地局用のものとして確保されているスクランブリングコードのうちの、前記検出手段により検出されたスクランブリングコードを除く最も小さいスクランブリングコード、または最も大きいスクランブリングコードを、自身が管理するエリア内の移動機と通信を行うときに用いるスクランブリングコードとして設定する設定手段とを備える。
【００１５】
前記受信手段には、電源がオンにされたとき、前記外部の基地局が出力する電波を受信させることができる。
【００１６】
前記設定手段には、小型基地局用のものとして確保されているスクランブリングコードであって、それぞれの小型基地局がホーム用の基地局であるのか、パブリック用の基地局であるのかを管理するサーバから送信されてきた複数のスクランブリングコードの中から、スクランブリングコードを選択し、設定させることができる。
【００１７】
本発明の設定方法は、外部の基地局が出力する電波を受信し、受信した電波を出力する外部の基地局に設定されているスクランブリングコードを検出し、小型基地局用のものとして確保されているスクランブリングコードのうちの、検出したスクランブリングコードを除く最も小さいスクランブリングコード、または最も大きいスクランブリングコードを、自身が管理するエリア内の移動機と通信を行うときに用いるスクランブリングコードとして設定するステップを含む。
【００１８】
本発明の小型基地局、または設定方法においては、外部の基地局が出力する電波が受信され、受信された電波を出力する前記外部の基地局に設定されているスクランブリングコードが検出される。また、小型基地局用のものとして確保されているスクランブリングコードのうちの、検出されたスクランブリングコードを除く最も小さいスクランブリングコード、または最も大きいスクランブリングコードが、自身が管理するエリア内の移動機と通信を行うときに用いるスクランブリングコードとして設定される。
【発明の効果】
【００１９】
本発明によれば、スクランブリングコードを効率的に設定することができる。
【図面の簡単な説明】
【００２０】
【図１】本発明の一実施形態に係るフェムトセル基地局の設置の例を示す図である。
【図２】フェムトセルの配置の例を示す図である。
【図３】スクランブリングコードの設定の例を示す図である。
【図４】スクランブリングコードの設定の他の例を示す図である。
【図５】スクランブリングコードの設定のさらに他の例を示す図である。
【図６】スクランブリングコードの設定の例を示す図である。
【図７】効果について説明する図である。
【図８】フェムトセル基地局の構成例を示すブロック図である。
【図９】フェムトセル基地局の機能構成例を示すブロック図である。
【図１０】フェムトセル基地局のスクランブリングコード設定処理について説明するフローチャートである。
【図１１】通信システムの構成例を示す図である。
【図１２】OSSの構成例を示すブロック図である。
【図１３】OSSに記憶されている情報の例を示す図である。
【図１４】図１１の通信システムにおいて行われるスクランブリングコード設定処理について説明するフローチャートである。
【図１５】図１１の通信システムにおいて行われる他のスクランブリングコード設定処理について説明するフローチャートである。
【発明を実施するための形態】
【００２１】
＜スクランブリングコードの設定＞
図１は、本発明の一実施形態に係るフェムトセル基地局の設置の例を示す図である。
【００２２】
図１の例においては、建物Ｈ1乃至Ｈ4内にそれぞれフェムトセル基地局１乃至４が設置されている。フェムトセル基地局１乃至４にはそれぞれLAN(Local Area Network)ケーブルなどを介して図示せぬブロードバンド回線のモデムが接続されている。フェムトセル基地局１乃至４は、モデムとブロードバンド回線を介してネットワークに接続され、自身が管理するフェムトセルに移動機が在圏している場合、移動機が外部の装置との間で行う音声データなどの通信を中継する。
【００２３】
フェムトセル基地局１乃至４のそれぞれにおいては、電源がオンにされたときなどの所定のタイミングで、外部の基地局が出力する電波が受信され、外部の基地局により使用されているスクランブリングコードが検出される。電波が到達している限り、フェムトセル基地局のスクランブリングコードだけでなく、マクロセル基地局のスクランブリングコードも検出される。
【００２４】
CDMA方式の通信システムにおいては、それぞれの基地局にスクランブリングコードが設定される。０から５１１までのスクランブリングコードのうち、所定の数のスクランブリングコードがフェムトセル基地局用のスクランブリングコードとして用いられ、それ以外のスクランブリングコードがマクロセル基地局用のスクランブリングコードとして用いられる。
【００２５】
また、フェムトセル基地局１乃至４のそれぞれにおいては、フェムトセル基地局用のものとして確保されているスクランブリングコードのうち、外部の基地局により使用されているスクランブリングコードを除く、最も小さいスクランブリングコードが、自身が管理するフェムトセルに在圏している移動機との通信に用いるスクランブリングコードとして設定される。
【００２６】
このように、フェムトセル基地局１乃至４は、人手によることなく、スクランブリングコードを自動的に設定する機能を有する。
【００２７】
図２は、フェムトセルの配置の例を示す図である。
【００２８】
図２のそれぞれの円は、その中心に斜線を付して示す各フェムトセル基地局により形成されるフェムトセルを表す。各フェムトセルは例えば半径数十メートルの範囲に形成される。
【００２９】
ここでは、フェムトセル基地局１により形成されるフェムトセルをフェムトセルＦ1、フェムトセル基地局２により形成されるフェムトセルをフェムトセルＦ2とする。また、フェムトセル基地局３により形成されるフェムトセルをフェムトセルＦ3、フェムトセル基地局４により形成されるフェムトセルをフェムトセルＦ4とする。
【００３０】
フェムトセルＦ1はフェムトセルＦ4とだけ隣接し、フェムトセルＦ2もフェムトセルＦ4とだけ隣接する。また、フェムトセルＦ3もフェムトセルＦ4とだけ隣接する。
【００３１】
フェムトセルＦ1を管理するフェムトセル基地局１は、フェムトセル基地局４が出力する電波を受信することはできるが、フェムトセル基地局２が出力する電波とフェムトセル基地局３が出力する電波を受信することはできないものとする。フェムトセル基地局１はフェムトセルＦ4の外側の位置に示されているが、微弱ではあるものの、フェムトセル基地局４が出力する電波はフェムトセル基地局１の位置にも到達する。
【００３２】
また、フェムトセルＦ2を管理するフェムトセル基地局２は、フェムトセル基地局４が出力する電波を受信することはできるが、フェムトセル基地局１が出力する電波とフェムトセル基地局３が出力する電波を受信することはできないものとする。
【００３３】
フェムトセルＦ3を管理するフェムトセル基地局３は、フェムトセル基地局４が出力する電波を受信することはできるが、フェムトセル基地局１が出力する電波とフェムトセル基地局２が出力する電波を受信することはできないものとする。
【００３４】
フェムトセルＦ4を管理するフェムトセル基地局４は、フェムトセル基地局１が出力する電波とフェムトセル基地局２が出力する電波とフェムトセル基地局３が出力する電波をそれぞれ受信することができるものとする。
【００３５】
フェムトセルを１つずつ順に形成していき、最終的に図２に示すようなフェムトセルＦ1乃至Ｆ4を形成する場合について説明する。
【００３６】
なお、マクロセル基地局の設置位置によってはマクロセル基地局からの電波も各フェムトセル基地局により受信されるが、マクロセル基地局のスクランブリングコードは考慮しないで説明する。
【００３７】
［第１の例］
図３は、フェムトセルＦ1，Ｆ2，Ｆ3，Ｆ4の順に各フェムトセルを形成する場合のスクランブリングコードの設定の例を示す図である。
【００３８】
フェムトセルの形成は、フェムトセル基地局をブロードバンド回線のモデムなどに接続し、電源をオンにすることによって行われる。電源をオンにしたとき、スクランブリングコードの設定が行われ、その後、電波の出力が開始されてフェムトセルが形成される。
【００３９】
図３において、実線で示すフェムトセルは既に形成されたフェムトセルを表し、点線で示すフェムトセルはまだ形成されていないフェムトセルを表す。それぞれのフェムトセル内に示す数字は、そのフェムトセルを管理するフェムトセル基地局に設定されたスクランブリングコードを表す。フェムトセルを管理するフェムトセル基地局の図示は省略している。後述する図４乃至図７においても同様である。
【００４０】
ここでは、フェムトセル基地局用のスクランブリングコードとして１，２，３の３つのスクランブリングコードが確保されている場合について説明する。
【００４１】
干渉が生じてしまうことから、隣接するフェムトセルを管理するフェムトセル基地局には、それぞれ異なるスクランブリングコードが設定される必要がある。
【００４２】
反対に、隣接しないフェムトセルを管理するフェムトセル基地局に対しては同じスクランブリングコードが重複して設定されても構わない。すなわち、フェムトセル基地局１とフェムトセル基地局２、フェムトセル基地局２とフェムトセル基地局３、フェムトセル基地局１とフェムトセル基地局３の間でそれぞれ同じスクランブリングコードが設定されたとしても干渉が生じることはない。
【００４３】
フェムトセルＦ1の形成時、フェムトセル基地局１は外部の基地局が出力する電波を受信し、外部の基地局により使用されているスクランブリングコードを検出する。隣接するフェムトセルがまだ形成されていないため、フェムトセル基地局１においては外部の基地局が出力する電波は受信されず、スクランブリングコードは検出されない。
【００４４】
この場合、図３の左端に示すように、フェムトセル基地局１は、フェムトセル基地局用のものとして確保されている１，２，３のスクランブリングコードのうち、最も小さいスクランブリングコードである１を、自身のスクランブリングコードとして設定する。これによりフェムトセルＦ1が形成され、フェムトセル基地局１は、フェムトセルＦ1に在圏している移動機との間でスクランブリングコード１を用いて通信を行う。
【００４５】
フェムトセルＦ2の形成時、フェムトセル基地局２は外部の基地局が出力する電波を受信し、外部の基地局により使用されているスクランブリングコードを検出する。フェムトセルＦ1は形成されているが、フェムトセルＦ4がまだ形成されていないため、フェムトセル基地局２においては外部の基地局が出力する電波は受信されず、スクランブリングコードは検出されない。
【００４６】
この場合、図３の白抜き矢印Ａ1の先に示すように、フェムトセル基地局２は、フェムトセル基地局用のものとして確保されている１，２，３のスクランブリングコードのうち、最も小さいスクランブリングコードである１を、自身のスクランブリングコードとして設定する。これによりフェムトセルＦ2が形成され、フェムトセル基地局２は、フェムトセルＦ2に在圏している移動機との間でスクランブリングコード１を用いて通信を行う。
【００４７】
フェムトセルＦ3の形成時、フェムトセル基地局３は外部の基地局が出力する電波を受信し、外部の基地局により使用されているスクランブリングコードを検出する。フェムトセルＦ1とＦ2は形成されているが、フェムトセルＦ4がまだ形成されていないため、フェムトセル基地局３においては外部の基地局が出力する電波は受信されず、スクランブリングコードは検出されない。
【００４８】
この場合、図３の白抜き矢印Ａ2の先に示すように、フェムトセル基地局３は、フェムトセル基地局用のものとして確保されている１，２，３のスクランブリングコードのうち、最も小さいスクランブリングコードである１を、自身のスクランブリングコードとして設定する。これによりフェムトセルＦ3が形成され、フェムトセル基地局３は、フェムトセルＦ3に在圏している移動機との間でスクランブリングコード１を用いて通信を行う。
【００４９】
フェムトセルＦ4の形成時、フェムトセル基地局４は外部の基地局が出力する電波を受信し、外部の基地局により使用されているスクランブリングコードを検出する。フェムトセルＦ1とＦ2とＦ3が形成されているため、フェムトセル基地局４においては外部の基地局が出力する電波として、フェムトセル基地局１が出力する電波、フェムトセル基地局２が出力する電波、フェムトセル基地局３が出力する電波がそれぞれ受信され、スクランブリングコード１が検出される。
【００５０】
この場合、図３の白抜き矢印Ａ3の先に示すように、フェムトセル基地局４は、フェムトセル基地局用のものとして確保されている１，２，３のスクランブリングコードのうち、外部の基地局により使用されているスクランブリングコード１を除く、最も小さいスクランブリングコードである２を、自身のスクランブリングコードとして設定する。これによりフェムトセルＦ4が形成され、フェムトセル基地局４は、フェムトセルＦ4に在圏している移動機との間でスクランブリングコード２を用いて通信を行う。
【００５１】
このようにしてそれぞれのフェムトセル基地局にスクランブリングコードが設定されることにより、それぞれのフェムトセルの間で干渉が生じることはない。
【００５２】
また、フェムトセルＦ1乃至Ｆ4の４つのフェムトセルを形成する場合であっても、１，２，３の３つのスクランブリングコードのうちの２つのスクランブリングコードだけでそれを行うことができる。
【００５３】
［第２の例］
図４は、フェムトセルＦ4，Ｆ1，Ｆ2，Ｆ3の順に各フェムトセルを形成する場合のスクランブリングコードの設定の例を示す図である。
【００５４】
フェムトセルＦ4の形成時、フェムトセル基地局４は外部の基地局が出力する電波を受信し、外部の基地局により使用されているスクランブリングコードを検出する。隣接するフェムトセルがまだ形成されていないため、フェムトセル基地局４においては外部の基地局が出力する電波は受信されず、スクランブリングコードは検出されない。
【００５５】
この場合、図４の左端に示すように、フェムトセル基地局４は、フェムトセル基地局用のものとして確保されている１，２，３のスクランブリングコードのうち、最も小さいスクランブリングコードである１を、自身のスクランブリングコードとして設定する。これによりフェムトセルＦ4が形成され、フェムトセル基地局４は、フェムトセルＦ4に在圏している移動機との間でスクランブリングコード１を用いて通信を行う。
【００５６】
フェムトセルＦ1の形成時、フェムトセル基地局１は外部の基地局が出力する電波を受信し、外部の基地局により使用されているスクランブリングコードを検出する。フェムトセルＦ4が形成されているため、フェムトセル基地局１においては外部の基地局が出力する電波として、フェムトセル基地局４が出力する電波が受信され、スクランブリングコード１が検出される。
【００５７】
この場合、図４の白抜き矢印Ａ11の先に示すように、フェムトセル基地局１は、フェムトセル基地局用のものとして確保されている１，２，３のスクランブリングコードのうち、外部の基地局により使用されているスクランブリングコード１を除く、最も小さいスクランブリングコードである２を、自身のスクランブリングコードとして設定する。これによりフェムトセルＦ1が形成され、フェムトセル基地局１は、フェムトセルＦ1に在圏している移動機との間でスクランブリングコード２を用いて通信を行う。
【００５８】
フェムトセルＦ2の形成時、フェムトセル基地局２は外部の基地局が出力する電波を受信し、外部の基地局により使用されているスクランブリングコードを検出する。フェムトセルＦ4が形成されているため、フェムトセル基地局２においては外部の基地局が出力する電波として、フェムトセル基地局４が出力する電波が受信され、スクランブリングコード１が検出される。
【００５９】
この場合、図４の白抜き矢印Ａ12の先に示すように、フェムトセル基地局２は、フェムトセル基地局用のものとして確保されている１，２，３のスクランブリングコードのうち、外部の基地局により使用されているスクランブリングコード１を除く、最も小さいスクランブリングコードである２を、自身のスクランブリングコードとして設定する。これによりフェムトセルＦ2が形成され、フェムトセル基地局２は、フェムトセルＦ2に在圏している移動機との間でスクランブリングコード２を用いて通信を行う。
【００６０】
フェムトセルＦ3の形成時、フェムトセル基地局３は外部の基地局が出力する電波を受信し、外部の基地局により使用されているスクランブリングコードを検出する。フェムトセルＦ4が形成されているため、フェムトセル基地局３においては外部の基地局が出力する電波として、フェムトセル基地局４が出力する電波が受信され、スクランブリングコード１が検出される。
【００６１】
この場合、図４の白抜き矢印Ａ13の先に示すように、フェムトセル基地局３は、フェムトセル基地局用のものとして確保されている１，２，３のスクランブリングコードのうち、外部の基地局により使用されているスクランブリングコード１を除く、最も小さいスクランブリングコードである２を、自身のスクランブリングコードとして設定する。これによりフェムトセルＦ3が形成され、フェムトセル基地局３は、フェムトセルＦ3に在圏している移動機との間でスクランブリングコード２を用いて通信を行う。
【００６２】
［第３の例］
図５は、フェムトセルＦ1，Ｆ4，Ｆ2，Ｆ3の順に各フェムトセルを形成する場合のスクランブリングコードの設定の例を示す図である。
【００６３】
フェムトセルＦ1の形成時、フェムトセル基地局１は外部の基地局が出力する電波を受信し、外部の基地局により使用されているスクランブリングコードを検出する。隣接するフェムトセルがまだ形成されていないため、フェムトセル基地局１においては外部の基地局が出力する電波は受信されず、スクランブリングコードは検出されない。
【００６４】
この場合、図５の左端に示すように、フェムトセル基地局１は、フェムトセル基地局用のものとして確保されている１，２，３のスクランブリングコードのうち、最も小さいスクランブリングコードである１を、自身のスクランブリングコードとして設定する。これによりフェムトセルＦ1が形成され、フェムトセル基地局１は、フェムトセルＦ1に在圏している移動機との間でスクランブリングコード１を用いて通信を行う。
【００６５】
フェムトセルＦ4の形成時、フェムトセル基地局４は外部の基地局が出力する電波を受信し、外部の基地局により使用されているスクランブリングコードを検出する。フェムトセルＦ1が形成されているため、フェムトセル基地局４においては外部の基地局が出力する電波として、フェムトセル基地局１が出力する電波が受信され、スクランブリングコード１が検出される。
【００６６】
この場合、図５の白抜き矢印Ａ21の先に示すように、フェムトセル基地局４は、フェムトセル基地局用のものとして確保されている１，２，３のスクランブリングコードのうち、外部の基地局により使用されているスクランブリングコード１を除く、最も小さいスクランブリングコードである２を、自身のスクランブリングコードとして設定する。これによりフェムトセルＦ4が形成され、フェムトセル基地局４は、フェムトセルＦ4に在圏している移動機との間でスクランブリングコード２を用いて通信を行う。
【００６７】
フェムトセルＦ2の形成時、フェムトセル基地局２は外部の基地局が出力する電波を受信し、外部の基地局により使用されているスクランブリングコードを検出する。フェムトセルＦ4が形成されているため、フェムトセル基地局２においては外部の基地局が出力する電波として、フェムトセル基地局４が出力する電波が受信され、スクランブリングコード２が検出される。
【００６８】
この場合、図５の白抜き矢印Ａ22の先に示すように、フェムトセル基地局２は、フェムトセル基地局用のものとして確保されている１，２，３のスクランブリングコードのうち、外部の基地局により使用されているスクランブリングコード２を除く、最も小さいスクランブリングコードである１を、自身のスクランブリングコードとして設定する。これによりフェムトセルＦ2が形成され、フェムトセル基地局２は、フェムトセルＦ2に在圏している移動機との間でスクランブリングコード１を用いて通信を行う。
【００６９】
フェムトセルＦ3の形成時、フェムトセル基地局３は外部の基地局が出力する電波を受信し、外部の基地局により使用されているスクランブリングコードを検出する。フェムトセルＦ4が形成されているため、フェムトセル基地局３においては外部の基地局が出力する電波として、フェムトセル基地局４が出力する電波が受信され、スクランブリングコード２が検出される。
【００７０】
この場合、図５の白抜き矢印Ａ23の先に示すように、フェムトセル基地局３は、フェムトセル基地局用のものとして確保されている１，２，３のスクランブリングコードのうち、外部の基地局により使用されているスクランブリングコード２を除く、最も小さいスクランブリングコードである１を、自身のスクランブリングコードとして設定する。これによりフェムトセルＦ3が形成され、フェムトセル基地局３は、フェムトセルＦ3に在圏している移動機との間でスクランブリングコード１を用いて通信を行う。
【００７１】
［第４の例］
図６は、フェムトセルＦ1，Ｆ2，Ｆ4，Ｆ3の順に各フェムトセルを形成する場合のスクランブリングコードの設定の例を示す図である。
【００７２】
フェムトセルＦ1の形成時、フェムトセル基地局１は外部の基地局が出力する電波を受信し、外部の基地局により使用されているスクランブリングコードを検出する。隣接するフェムトセルがまだ形成されていないため、フェムトセル基地局１においては外部の基地局が出力する電波は受信されず、スクランブリングコードは検出されない。
【００７３】
この場合、図６の左端に示すように、フェムトセル基地局１は、フェムトセル基地局用のものとして確保されている１，２，３のスクランブリングコードのうち、最も小さいスクランブリングコードである１を、自身のスクランブリングコードとして設定する。これによりフェムトセルＦ1が形成され、フェムトセル基地局１は、フェムトセルＦ1に在圏している移動機との間でスクランブリングコード１を用いて通信を行う。
【００７４】
フェムトセルＦ2の形成時、フェムトセル基地局２は外部の基地局が出力する電波を受信し、外部の基地局により使用されているスクランブリングコードを検出する。フェムトセルＦ1は形成されているが、フェムトセルＦ4がまだ形成されていないため、フェムトセル基地局２においては外部の基地局が出力する電波は受信されず、スクランブリングコードは検出されない。
【００７５】
この場合、図６の白抜き矢印Ａ31の先に示すように、フェムトセル基地局２は、フェムトセル基地局用のものとして確保されている１，２，３のスクランブリングコードのうち、最も小さいスクランブリングコードである１を、自身のスクランブリングコードとして設定する。これによりフェムトセルＦ2が形成され、フェムトセル基地局２は、フェムトセルＦ2に在圏している移動機との間でスクランブリングコード１を用いて通信を行う。
【００７６】
フェムトセルＦ4の形成時、フェムトセル基地局４は外部の基地局が出力する電波を受信し、外部の基地局により使用されているスクランブリングコードを検出する。フェムトセルＦ1とＦ2が形成されているため、フェムトセル基地局４においては外部の基地局が出力する電波として、フェムトセル基地局１が出力する電波とフェムトセル基地局２が出力する電波がそれぞれ受信され、スクランブリングコード１が検出される。
【００７７】
この場合、図６の白抜き矢印Ａ32の先に示すように、フェムトセル基地局４は、フェムトセル基地局用のものとして確保されている１，２，３のスクランブリングコードのうち、外部の基地局により使用されているスクランブリングコード１を除く、最も小さいスクランブリングコードである２を、自身のスクランブリングコードとして設定する。これによりフェムトセルＦ4が形成され、フェムトセル基地局４は、フェムトセルＦ4に在圏している移動機との間でスクランブリングコード２を用いて通信を行う。
【００７８】
フェムトセルＦ3の形成時、フェムトセル基地局３は外部の基地局が出力する電波を受信し、外部の基地局により使用されているスクランブリングコードを検出する。フェムトセルＦ4が形成されているため、フェムトセル基地局３においては外部の基地局が出力する電波として、フェムトセル基地局４が出力する電波が受信され、スクランブリングコード２が検出される。
【００７９】
この場合、図６の白抜き矢印Ａ33の先に示すように、フェムトセル基地局３は、フェムトセル基地局用のものとして確保されている１，２，３のスクランブリングコードのうち、外部の基地局により使用されているスクランブリングコード２を除く、最も小さいスクランブリングコードである１を、自身のスクランブリングコードとして設定する。これによりフェムトセルＦ3が形成され、フェムトセル基地局３は、フェムトセルＦ3に在圏している移動機との間でスクランブリングコード１を用いて通信を行う。
【００８０】
図７は、図３乃至図６に示すようにしてスクランブリングコードを設定した場合の効果について説明する図である。
【００８１】
図７に示すフェムトセルＦ1乃至Ｆ4を管理するフェムトセル基地局１乃至４においては、フェムトセル基地局用のものとして用意されたスクランブリングコードの中からランダムにスクランブリングコードが選択される。一般的に、マクロセル基地局に設定するスクランブリングコードの選択はランダムに行われる。
【００８２】
図７に示すフェムトセルＦ1乃至Ｆ4を管理するフェムトセル基地局１乃至４においては、外部の基地局が出力する電波を受信し、既に使用されているスクランブリングコードを検出するようなことは行われない。フェムトセルＦ1，Ｆ2，Ｆ3，Ｆ4の順に各フェムトセルを形成する場合について説明する。
【００８３】
図７の例においては、フェムトセルＦ1の形成時、フェムトセル基地局１によりスクランブリングコード１がランダムに選択され、設定されている。これによりフェムトセルＦ1が形成され、フェムトセル基地局１は、フェムトセルＦ1に在圏している移動機との間でスクランブリングコード１を用いて通信を行う。
【００８４】
また、図７の白抜き矢印Ａ41の先に示すように、フェムトセルＦ2の形成時、フェムトセル基地局２によりスクランブリングコード２がランダムに選択され、設定されている。これによりフェムトセルＦ2が形成され、フェムトセル基地局２は、フェムトセルＦ2に在圏している移動機との間でスクランブリングコード２を用いて通信を行う。
【００８５】
図７の白抜き矢印Ａ42の先に示すように、フェムトセルＦ3の形成時、フェムトセル基地局３によりスクランブリングコード３がランダムに選択され、設定されている。これによりフェムトセルＦ3が形成され、フェムトセル基地局３は、フェムトセルＦ3に在圏している移動機との間でスクランブリングコード３を用いて通信を行う。
【００８６】
このように、フェムトセルＦ1乃至Ｆ4を形成する場合においてスクランブリングコードがランダムに選択されるとしたとき、フェムトセル基地局用のスクランブリングコードが１，２，３の３つであるとすると、最悪のケースでは４つ目のフェムトセルを形成する時点でスクランブリングコードが不足する。図７の白抜き矢印Ａ43の先に示すように、隣接するフェムトセルで使われているスクランブリングコードと重複しない形でフェムトセル基地局４にスクランブリングコードを設定することはできない。
【００８７】
これに対して、図３乃至図６に示すようにして、フェムトセル基地局用のものとして確保されているスクランブリングコードのうち、外部の基地局により使用されているスクランブリングコードを除く、最も小さいスクランブリングコードが自身のスクランブリングコードとして設定されるようにすることにより、スクランブリングコードを効率的に設定することが可能になる。
【００８８】
＜フェムトセル基地局の構成例＞
図８は、フェムトセル基地局１の構成例を示すブロック図である。フェムトセル基地局２乃至４も同様の構成を有している。
【００８９】
図８に示すように、フェムトセル基地局１は、ネットワーク通信部１１、制御部１２、無線通信部１３、およびアンテナ１４から構成される。
【００９０】
ネットワーク通信部１１はネットワークのインタフェースであり、TCP/IP(Transmission Control Protocol/Internet Protocol)、UDP(User Datagram Protocol)などの所定のプロトコルに従って、有線を介して、フェムトセル基地局１に対して接続されるモデムと通信を行う。
【００９１】
ネットワーク通信部１１は、モデムにより受信された通信相手の移動機（携帯電話機）からの音声データを無線通信部１３に出力し、一方、無線通信部１３から供給された、フェムトセルＦ1に在圏している移動機からの音声データをモデムに出力して通信相手の移動機に送信させる。
【００９２】
制御部１２はCPU(Central Processing Unit)，ROM(Read Only Memory)，RAM(Random Access Memory)などよりなり、所定のプログラムを実行してフェムトセル基地局１の全体の動作を制御する。例えば、制御部１２は、スクランブリングコードを無線通信部１３に設定し、設定したスクランブリングコードを用いて移動機と通信を行わせる。
【００９３】
無線通信部１３は、空中線電力が２０ｍＷ以下などの所定の強度の電波をアンテナ１４から出力し、W-CDMA、CDMA2000などの規格に従って移動機と無線通信を行う。
【００９４】
無線通信部１３は、ネットワーク通信部１１から供給された通信相手の移動機からの音声データをフェムトセルＦ1に在圏している移動機に送信し、アンテナ１４から供給された信号に基づいて受信したフェムトセルＦ1に在圏している移動機からの音声データをネットワーク通信部１１に出力する。
【００９５】
また、無線通信部１３は、外部の基地局が出力する電波をアンテナ１４において受信し、アンテナ１４から供給された信号を制御部１２に出力する。
【００９６】
図９は、フェムトセル基地局１の機能構成例を示すブロック図である。
【００９７】
図９に示す構成のうちの少なくとも一部は、図８の制御部１２により所定のプログラムが実行されることによって実現される。図９に示すように、制御部１２においては検出部２１と設定部２２が実現される。
【００９８】
検出部２１は、無線通信部１３から供給された信号に基づいて、アンテナ１４において受信された電波を出力する外部の基地局に設定されているスクランブリングコードを検出する。無線通信部１３から供給された信号を復調して得られる情報には、その情報を送信した基地局に設定されているスクランブリングコードが含まれている。検出部２１は、検出したスクランブリングコードを設定部２２に出力する。
【００９９】
設定部２２は、検出部２１から供給されたスクランブリングコードを、外部の基地局により既に使用されているスクランブリングコードとして管理する。
【０１００】
また、設定部２２は、フェムトセル基地局用のものとして確保されているスクランブリングコードのうち、外部の基地局により使用されているスクランブリングコードを除く、最も小さいスクランブリングコードを選択する。設定部２２は、選択したスクランブリングコードを無線通信部１３に設定し、フェムトセルＦ1に在圏している移動機との間で通信を行わせる。
【０１０１】
＜フェムトセル基地局の動作＞
ここで、図１０のフローチャートを参照して、以上のような構成を有するフェムトセル基地局１により行われる、スクランブリングコードの設定処理について説明する。
【０１０２】
この処理は、例えば、フェムトセル基地局１の電源がオンになったときに開始される。電源がオンになったときだけでなく、電源がオンになっている間、所定の周期で繰り返し行われるようにしてもよい。
【０１０３】
ステップＳ１において、無線通信部１３は、外部の基地局が出力する電波を受信する。
【０１０４】
ステップＳ２において、検出部２１は、アンテナ１４において受信された電波を出力する外部の基地局に設定されているスクランブリングコードを検出する。
【０１０５】
ステップＳ３において、設定部２２は、フェムトセル基地局用のものとして確保されているスクランブリングコードのうち、検出部２１により検出された外部の基地局により使用されているスクランブリングコードを除く、最も小さいスクランブリングコードを選択して無線通信部１３に設定する。
【０１０６】
以上の処理がフェムトセル基地局２乃至４においてそれぞれ行われることにより、図３乃至図６を参照して説明したスクランブリングコードの設定が実現される。これにより、スクランブリングコードを効率的に設定することが可能になる。
【０１０７】
以上においては、フェムトセル基地局用のものとして確保されているスクランブリングコードのうち、外部の基地局により使用されているスクランブリングコードを除く、最も小さいものから昇順にスクランブリングコードが選択されるものとしたが、最も大きいものから降順に選択されるようにしてもよい。
【０１０８】
また、フェムトセル基地局用のものとして確保されているスクランブリングコードが１，２，３の３つである場合について説明したが、３つ以上のスクランブリングコードが確保されている場合にも同様にしてスクランブリングコードの設定が行われる。
【０１０９】
＜通信システムに適用した例＞
図１１は、通信システムの構成例を示す図である。
【０１１０】
図１１に示すように、この通信システムはフェムトセル基地局５１、中継装置５２、およびOSS(Operation Support System)５３から構成される。フェムトセル基地局５１と中継装置５２は、ADSL回線、光ファイバ回線などのブロードバンド回線を介して接続され、中継装置５２とOSS５３はネットワークを介して接続される。
【０１１１】
中継装置５２とOSS５３はコアネットワークを構成する装置である。コアネットワークを構成する装置として中継装置５２とOSS５３しか示していないが、交換機としての機能を有するCSCF(Call Session Control Function)等の装置も設けられる。また、フェムトセル基地局５１以外にも複数のフェムトセル基地局が中継装置５２には接続される。
【０１１２】
フェムトセル基地局５１は、上述したフェムトセル基地局１等と同様に、フェムトセルを形成し、フェムトセルに在圏している移動機による通信を中継する。また、フェムトセル基地局５１は、中継装置５２を介してOSS５３と通信を行い、スクランブリングコード等をOSS５３による制御に従って設定する。
【０１１３】
中継装置５２は、SGW(Security Gateway)やPDG(Packet Data Gateway)などの装置である。中継装置５２は、フェムトセル基地局５１から送信されてきたデータをOSS５３に送信し、OSS５３から送信されてきたデータをフェムトセル基地局５１に送信する。
【０１１４】
OSS５３は、通信事業者により管理されるサーバであり、中継装置５２に接続されるフェムトセル基地局５１を遠隔制御する。例えば、OSS５３は、起動時に行われるフェムトセル基地局５１からの要求に応じて、スクランブリングコード等の設定を制御する。
【０１１５】
このような各装置からなる通信システムにおいては、ホーム用フェムトセル基地局とパブリック用フェムトセル基地局のうちのホーム用フェムトセル基地局によって、上述したような、外部の基地局により使用されているスクランブリングコードを除く、最も小さいスクランブリングコードを選択して設定することが行われる。
【０１１６】
ホーム用フェムトセル基地局は、フェムトセルを使った通信サービスに加入したユーザの自宅内などに設置され、あらかじめ登録された少数のユーザを対象として通信サービスを提供するフェムトセル基地局である。
【０１１７】
パブリック用フェムトセル基地局は、店舗や地下鉄のホームなどに設置され、不特定多数のユーザを対象として通信サービスを提供するフェムトセル基地局である。フェムトセル基地局の使い方として、このような公衆向けの通信サービスを提供するための使い方も考えられる。
【０１１８】
ホーム用フェムトセル基地局とパブリック用フェムトセル基地局には次のような違いがある。
【０１１９】
例えば、設置する数については、ホーム用フェムトセル基地局の方が多い。
【０１２０】
また、地下鉄のホームなどに設置されることから、パブリック用フェムトセル基地局が制御するフェムトセルの方が、通話中や通信中に移動機がセルを切り替えるハンドオーバーの発生確率が高い。ハンドオーバー先のセルは、移動機から送信されてくる、電波の受信状況などの情報を受信したコアネットワーク側の装置により決定される。
【０１２１】
通話をしながら自宅から出たり、自宅に入ったりするユーザはそれほど多くはないと考えられるから、マクロセルからフェムトセル、フェムトセルから他のフェムトセルといったようなハンドオーバーに対する要求は、パブリック用フェムトセル基地局の方が高いといえる。
【０１２２】
移動機から送信されてきた情報を受信したコアネットワーク側の装置はハンドオーバー先のセルを決定することになるが、この際、各セルをスクランブリングコードによって識別する必要がある。
【０１２３】
例えば、ある１つのマクロセルの内側に複数のフェムトセルがあり、マクロセルに在圏している移動機のハンドオーバー先としていずれかのフェムトセルを選択する場合において、同じスクランブリングコードを使っているフェムトセルが近くに複数あるとき、コアネットワーク側の装置がハンドオーバー先を決定することは困難になる。
【０１２４】
従って、ハンドオーバーの要求がより高いフェムトセル基地局であるパブリック用フェムトセル基地局のスクランブリングコードについては、同じスクランブリングコードを使うフェムトセル基地局が近くにできるだけ存在することがないように、通信事業者などにより個別に選択され、設定される。
【０１２５】
また、ハンドオーバーの要求がより低いフェムトセル基地局であるホーム用フェムトセル基地局のスクランブリングコードについては、基地局の数が多いこともあって、上述したようにしてフェムトセル基地局により自動的に選択され、設定される。
【０１２６】
ホーム用フェムトセル基地局とパブリック用フェムトセル基地局によりそれぞれ行われるスクランブリングコードの設定処理については後述する。
【０１２７】
図１２は、OSS５３の構成例を示すブロック図である。
【０１２８】
CPU(Central Processing Unit)６１、ROM(Read Only Memory)６２、RAM(Random Access Memory)６３は、バス６４により相互に接続されている。CPU６１により所定のプログラムが実行されることによって、OSS５３においては設定制御部６１Ａが実現される。
【０１２９】
設定制御部６１Ａは、通信部６９を制御してフェムトセル基地局５１と通信を行い、スクランブリングコード等の設定を制御する。
【０１３０】
バス６４には入出力インタフェース６５が接続される。入出力インタフェース６５には、入力部６６、出力部６７、記憶部６８、および通信部６９が接続される。
【０１３１】
入力部６６は、キーボード、マウスなどよりなり、通信事業者の作業者により操作される。例えば、それぞれのフェムトセル基地局がホーム用であるのかパブリック用であるのかを識別するフラグであるホーム用／パブリック用識別フラグの設定や、パブリック用フェムトセル基地局に設定するスクランブリングコードの入力などに入力部６６は用いられる。
【０１３２】
出力部６７は、ディスプレイなどよりなり、ホーム用／パブリック用識別フラグの設定画面やスクランブリングコードの入力画面を表示する。
【０１３３】
記憶部６８は、ハードディスクや不揮発性のメモリなどよりなり、フェムトセル基地局の識別情報と対応付けて各種の情報を記憶する。
【０１３４】
通信部６９は、ネットワークインタフェースなどよりなり、中継装置５２を介してフェムトセル基地局５１と通信を行う。
【０１３５】
図１３は、記憶部６８に記憶されている情報の例を示す図である。
【０１３６】
図１３の例においては、各フェムトセル基地局のIDと対応付けて、ホーム用／パブリック用識別フラグ、スクランブリングコード、周波数帯域の情報が登録されている。ホーム用として、またはパブリック用としてフェムトセル基地局を設置することが決定した場合、そのフェムトセル基地局の情報として図１３に示すような情報が作業者により登録される。
【０１３７】
図１３の例においては、ID「００１」と対応付けて、ホーム用／パブリック用識別フラグ「０」、スクランブリングコード「５１１」、および周波数帯域「Ｆ1」が登録されている。また、ID「００２」と対応付けて、ホーム用／パブリック用識別フラグ「０」、スクランブリングコード「５１０」、および周波数帯域「Ｆ2」が登録されている。
【０１３８】
ID「００３」と「００４」に対してはそれぞれホーム用／パブリック用識別フラグ「１」だけが対応付けて登録され、スクランブリングコードと周波数帯域の情報は登録されていない。
【０１３９】
ホーム用／パブリック用識別フラグ「０」は、その値が設定されているフェムトセル基地局がパブリック用のフェムトセル基地局であることを表し、「１」は、その値が設定されているフェムトセル基地局がホーム用のフェムトセル基地局であることを表す。
【０１４０】
上述したようにパブリック用フェムトセル基地局のスクランブリングコードは通信事業者によって選択されるから、ホーム用／パブリック用識別フラグの値として「０」が設定されているID「００１」のフェムトセル基地局とID「００２」のフェムトセル基地局に対しては、スクランブリングコードがあらかじめ選択され、登録されている。
【０１４１】
ここでは、０から５１１までの５１２個のスクランブリングコードのうち、５０２〜５１１の１０個のスクランブリングコードがフェムトセル基地局用のスクランブリングコードであるものとする。
【０１４２】
また、フェムトセル基地局用の１０個のスクランブリングコードのうち、５０２〜５０４の３個のスクランブリングコードがホーム用、残りの５０５〜５１１の７個のスクランブリングコードがパブリック用のスクランブリングコードであるものとする。スクランブリングコードの割り当ては運用の仕方によって適宜異なる。
【０１４３】
パブリック用フェムトセル基地局の情報として登録される周波数帯域は、各フェムトセル基地局が出力する電波の周波数帯域である。パブリック用フェムトセル基地局に対しては、スクランブリングコードだけでなく、出力する電波の周波数帯域も通信事業者によって選択されている。
【０１４４】
なお、フェムトセル基地局５１は、図８、図９に示すフェムトセル基地局１の構成と同様の構成を有している。フェムトセル基地局５１がパブリック用フェムトセル基地局である場合、その制御部１２においては検出部２１（図９）は実現されない。以下、図８、図９の構成をフェムトセル基地局５１の構成として説明する。
【０１４５】
ここで、図１１の通信システムにおけるスクランブリングコードの設定処理について説明する。
【０１４６】
はじめに、図１４のフローチャートを参照して、ホーム用フェムトセル基地局としてのフェムトセル基地局５１のスクランブリングコードを設定する処理について説明する。
【０１４７】
この処理は、例えば、設置場所となる家屋内でフェムトセル基地局５１がブロードバンド回線に接続され、電源がオンにされたときに開始される。
【０１４８】
ステップＳ１１において、フェムトセル基地局５１の設定部２２は、中継装置５２と通信を行い、IP Sec(Security Architecture for Internet Protocol)の通信を確立する。中継装置５２においては、ステップＳ２１においてフェムトセル基地局５１からのアクセスに応答する処理が行われる。
【０１４９】
ステップＳ１２において、設定部２２は、ネットワーク通信部１１を制御し、スクランブリングコード等の設定のリクエストをOSS５３に送信する。
【０１５０】
フェムトセル基地局５１から送信されたリクエストは、ステップＳ２２において中継装置５２により受信され、OSS５３に対して送信される。フェムトセル基地局５１から送信されたリクエストには、フェムトセル基地局５１のIDが含まれている。
【０１５１】
ステップＳ３１において、OSS５３の設定制御部６１Ａは、フェムトセル基地局５１からのリクエストを受信する。
【０１５２】
ステップＳ３２において、設定制御部６１Ａは、記憶部６８に記憶されている図１３に示すような情報を参照し、リクエストを送信してきたフェムトセル基地局５１がホーム用のフェムトセル基地局であることをリクエストに含まれるIDに基づいて識別する。
【０１５３】
ステップＳ３３において、設定制御部６１Ａは、５０２〜５０４の３個のスクランブリングコードと複数の周波数帯域の情報を、スクランブリングコードと周波数帯域の候補の情報として送信する。
【０１５４】
OSS５３から送信された情報は、ステップＳ２３において中継装置５２により受信され、フェムトセル基地局５１に対して送信される。
【０１５５】
ステップＳ１３において、フェムトセル基地局５１の設定部２２は、OSS５３から送信されてきた情報を受信する。
【０１５６】
ステップＳ１４において、設定部２２は、図１０を参照して説明した処理を行うことによって、OSS５３から送信されてきた３個の候補の中から１個のスクランブリングコードを選択し、自身のスクランブリングコードとして設定する。
【０１５７】
また、検出部２１は、無線通信部１３から供給されたアンテナ１４において受信されている電波の情報に基づいて、周囲の基地局により使用されている周波数帯域を検出する。設定部２２は、OSS５３から送信されてきた複数の候補の中から周囲の基地局により使用されていない周波数帯域を選択し、選択した周波数帯域の電波を無線通信部１３に出力させる。
【０１５８】
以上の処理により、スクランブリングコードと周波数帯域がホーム用フェムトセル基地局であるフェムトセル基地局５１に設定され、ホーム用のフェムトセルが形成される。
【０１５９】
次に、図１５のフローチャートを参照して、パブリック用フェムトセル基地局としてのフェムトセル基地局５１のスクランブリングコードを設定する処理について説明する。
【０１６０】
この処理も、設置場所でフェムトセル基地局５１がブロードバンド回線に接続され、電源がオンにされたときに開始される。
【０１６１】
ステップＳ４１において、フェムトセル基地局５１の設定部２２は、中継装置５２と通信を行い、IP Secの通信を確立する。中継装置５２においては、ステップＳ５１においてフェムトセル基地局５１からのアクセスに応答する処理が行われる。
【０１６２】
ステップＳ４２において、設定部２２は、スクランブリングコード等の設定のリクエストをOSS５３に送信する。
【０１６３】
フェムトセル基地局５１から送信されたリクエストは、ステップＳ５２において中継装置５２により受信され、OSS５３に対して送信される。フェムトセル基地局５１から送信されたリクエストには、フェムトセル基地局５１のIDが含まれている。
【０１６４】
ステップＳ６１において、OSS５３の設定制御部６１Ａは、フェムトセル基地局５１からのリクエストを受信する。
【０１６５】
ステップＳ６２において、設定制御部６１Ａは、記憶部６８に記憶されている情報を参照し、リクエストを送信してきたフェムトセル基地局５１がパブリック用のフェムトセル基地局であることをリクエストに含まれるIDに基づいて識別する。
【０１６６】
ステップＳ６３において、設定制御部６１Ａは、フェムトセル基地局５１のIDと対応付けて登録されているスクランブリングコードと周波数帯域を、フェムトセル基地局５１に設定するスクランブリングコードと周波数帯域として選択する。
【０１６７】
ステップＳ６４において、設定制御部６１Ａは、選択したスクランブリングコードと周波数帯域の情報をフェムトセル基地局５１に送信する。
【０１６８】
OSS５３から送信された情報は、ステップＳ５３において中継装置５２により受信され、フェムトセル基地局５１に対して送信される。
【０１６９】
ステップＳ４３において、フェムトセル基地局５１の設定部２２は、OSS５３から送信されてきた情報を受信する。
【０１７０】
ステップＳ４４において、設定部２２は、OSS５３から送信されてきたスクランブリングコードを自身のスクランブリングコードとして設定する。また、設定部２２は、OSS５３から送信されてきた周波数帯域の電波を無線通信部１３に出力させる。
【０１７１】
以上の処理により、スクランブリングコードと周波数帯域がパブリック用フェムトセル基地局であるフェムトセル基地局５１に設定され、パブリック用のフェムトセルが形成される。
【０１７２】
このように、ホーム用であるのか、パブリック用であるのかに応じて、フェムトセル基地局のスクランブリングコードの設定方法を替えることが可能である。
【０１７３】
これにより、ホーム用のフェムトセル基地局のスクランブリングコードについては、通信事業者が自ら設定する手間を省くことができる。
【０１７４】
また、パブリック用のフェムトセル基地局のスクランブリングコードについては、１つのマクロセル内に同じスクランブリングコードを使用するフェムトセルが複数あるといったような状況になるのを防ぐことができ、ハンドオーバー先の選択をコアネットワーク側の装置に容易に行わせることが可能になる。
【０１７５】
フェムトセル基地局のスクランブリングコードを設定する場合について説明したが、フェムトセル基地局に替えて、「ピコセル」、「マイクロセル」と呼ばれる小型セルを形成する基地局のスクランブリングコードの設定も同様の処理により行うことが可能である。小型基地局は、フェムトセル、ピコセル、マイクロセル等の小型セルを形成する基地局である。
【０１７６】
本発明の実施の形態は、上述した実施の形態に限定されるものではなく、本発明の要旨を逸脱しない範囲において種々の変更が可能である。
【符号の説明】
【０１７７】
１乃至４  フェムトセル基地局，  １１  ネットワーク通信部，  １２  制御部，  １３  無線通信部，  １４  アンテナ，  ２１  検出部，  ２２  設定部
【図１】
2010263461.tif 000003
【図２】
2010263461.tif 000004
【図３】
2010263461.tif 000005
【図４】
2010263461.tif 000006
【図５】
2010263461.tif 000007
【図６】
2010263461.tif 000008
【図７】
2010263461.tif 000009
【図８】
2010263461.tif 000010
【図９】
2010263461.tif 000011
【図１０】
2010263461.tif 000012
【図１１】
2010263461.tif 000013
【図１２】
2010263461.tif 000014
【図１３】
2010263461.tif 000015
【図１４】
2010263461.tif 000016
【図１５】
2010263461.tif 000017